(57)【要約】【課題】動作中のジョブの種類に応じ近距離無線通信により出力されるべき印刷ジョブを割り込ませるかしないかを自動的に切り替える。【解決手段】原稿を走査し画像データとして取り込む画像読み込み手段と、取り込んだ画像データを格納するための画像蓄積手段と、蓄積した画像データに画像処理を行う画像処理ブロックと、画像処理ブロックと画像出力手段を接続する画像出力Ｉ／Ｆ手段と、ネットワークに接続するためのネットワークＩ／Ｆ手段と、近距離無線通信Ｉ／Ｆを有する近距離無線通信手段とを有するコントローラにおいて、ネットワークＩ／Ｆ手段により蓄積した画像データをセキュアプリントする際すでに印刷中の別ジョブが動作中に上記近距離無線通信手段によってセキュアプリントを支持した人間が近くにいることを検知した場合上記画像蓄積手段内に蓄積された画像データを出力するかしないかを現在印刷中の別ジョブの種類により自動的に判断する。【選択図】        図１
2004181763.tif 000002
【特許請求の範囲】
【請求項１】
複写機・プリンター等のマルチファンクションシステムにおいて、原稿を走査し画像データとして取り込む画像読み取り手段と、上記画像読み取り手段によって読み取られた画像データを記憶しておく画像データ蓄積手段と、画像データを受け取り画像データを印刷する画像印刷Ｉ／Ｆ手段と、ネットワークに接続するためのネットワークＩ／Ｆ手段と、近距離無線通信Ｉ／Ｆを有する近距離無線通信手段と、を有し
上記ネットワークＩ／Ｆ手段によって受け取った画像データを上記画像データ蓄積手段に蓄積し、蓄積された画像データを印刷するよう指示する際に、上記画像データ蓄積手段に画像データの蓄積指示を行った操作者が上記近距離無線通信手段により上記マルチファンクションシステムの近傍に存在するか否かを判断し、近傍に存在すると判断する場合に上記画像データの印刷を行うマルチファンクションシステムにおいて、
別の印刷動作を行っている際に上記近距離無線通信手段による印刷要求がきた際にこの要求により直ちに許可の有無を自動的に判断することを特徴とするマルチファンクションシステム。
【請求項２】
請求項１において、第１の人物の近距離無線通信手段による印刷要求とは別の印刷動作が画像読み取り装置を用いた複写動作である場合、上記印刷要求は上記複写動作が終了するまで行わないことを特徴とするマルチファンクションシステム。
【請求項３】
請求項１において、上記第１の人物の近距離無線通信手段による印刷要求とは別の印刷動作が、第２の人物の近距離無線通信手段による印刷動作である場合で且つ上記第２の人物が上記近距離無線通信手段によって該マルチファンクションシステム近傍に存在しないと判断された場合、上記印刷要求は現在の印刷動作を停止して行われることを特徴とするマルチファンクションシステム。
【請求項４】
請求項１において、上記第１の人物の近距離無線通信手段による印刷要求とは別の印刷動作が、第２の人物の近距離無線通信手段による印刷動作である場合で且つ上記第２の人物が上記近距離無線通信手段によって該マルチファンクションシステム近傍に存在すると判断された場合、上記印刷要求は現在の印刷動作が終了するまで行われないことを特徴とするマルチファンクションシステム。
【発明の詳細な説明】
【０００１】
【発明の属する技術分野】
本発明は、マルチファンクションシステム（ＭＦＰ）のコントローラにおける、親展印刷（セキュアプリント）の出力許可についての発明である。
【０００２】
【従来の技術】
従来のＭＦＰのコントローラにおいて、セキュアプリントを行う際に、実際にＭＦＰにて画像データの出力を行おうとする際には、操作部等から本人であることを証明する認証コード（パスワードなど）を入力し、しかる後に画像データの出力を行っていた。
【０００３】
【発明が解決しようとする課題】
従来の技術では、上述のように認証コードを入力する必要が発生するため、万一認証コードを忘れてしまった場合には画像データの出力を行うことが出来ない。また、認証コードを入力するために、操作部を占有してしまうためその間は複写動作を含む操作部からの操作をすることが出来ないといった問題があった。
【０００４】
【課題を解決するための手段】
上記の課題を克服するため、本件特許で提案するマルチファンクションシステムコントローラにおいては、近距離無線通信手段により無線で認証動作を行うことで、確実に画像出力を行うことができ、且つ操作部を占有しないことで本体への操作も同時に行うことが可能となる。さらに、複数の人間が同時に近距離無線通信により印刷要求をすることが可能になる。
【０００５】
【発明の実施の形態】
以下で本発明の装置及びその動作について詳細に説明する。
【０００６】
＜ネットワークシステム全体の説明＞
本発明を用いたシステムの構成例を図１に、本発明の印刷装置の画像入出力システム（１００）の構成概要を図２に示す。
【０００７】
画像入出力システム（１００）は、主にリーダー部（２００）とプリンタ部（３００）と近距離無線通信のインターフェース（１８０）とデータ保存用のＨＤＤ（２００４）とユーザー登録コード記憶部（１９０）から構成され、さらに画像入出力システム（１００）は、ローカルエリアネットワーク（１１０）（以下ＬＡＮ）を介してネットワーク上に接続されている。
【０００８】
１０７は、ルータ（１１１）を介してＬＡＮ（１１０）をインターネット／イントラネット（１１２）と連結する。インターネット／イントラネット（１１２）に、データベースサーバ（１０２）、ＷＷＷサーバ（１０６）、電子メールサーバ（１０４）、画像入出力システム（１００）と同様の装置が、それぞれ１２１、１２２、１２３として連結している。
【０００９】
ＬＡＮ（１１０）上には複数のデータベースサーバ（１０２）、ＷＷＷサーバ（１０６）、電子メールサーバ（１０４）、画像入出力システム（１００）と同様の装置が、それぞれ１２１、１２２、１２３として連結している（以下、１０２、１０６、１０４のサーバーをＰＣ（１０９）と略す）。
【００１０】
ＰＣ（１０９）が接続されており、このＰＣ（１０９）からプリントのジョブの実行を行うことで、画像入出力システム（１００）にプリントのジョブ及び画像データをプリンタによりプリントアウトしたり、リーダーから読み込んだ画像をＬＡＮ（１１０）に流すことができる。
【００１１】
ＬＡＮ（１１０）上にプリンタ（１４０）は連結されており、画像入出力システム（１００）により読み取った画像及びＬＡＮ（１１０）上に接続されたＰＣ（１０９）からのプリントのジョブをプリントアウト可能な構成を取る。
【００１２】
また、リーダー部（２００）から読んだ画像を図示しないＦＡＸ送信手段により、ＰＳＴＮまたはＩＳＤＮ（１３０）に送信したり、ＰＳＴＮまたはＩＳＤＮから受信した画像をプリンタ部（３００）によりプリントアウトできる。１０２は、データベースサーバで、画像入出力システム（１００）により読み込んだ２値画像及び多値画像をデータベースとして管理する。
【００１３】
ＬＡＮ（１１０）から受信したプリントのジョブ及び画像データは、プリンタ部（３００）によりプリントアウトされる際に、一度ＨＤＤ（２００４）に保存され、近距離無線通信のインターフェース（１０８）の制御によりＨＤＤ（２００４）からプリントのジョブ及び画像データを読み出し、プリンタ（１４０）にそのデータを送信しプリントアウトされる。
【００１４】
ＰＣ（１０９）からプリントのジョブの実行を指示したユーザー（２０１）は、画像入出力システム（１００）と近距離での無線通信が可能なインターフェース装置（２０２）を携帯し、ユーザー（２０１）が画像入出力システム（１００）と近距離に位置するときに、無線でインターフェース装置（２０２）を使って、画像入出力システム（１００）と通信を行う。
【００１５】
近距離無線通信インターフェース（１８０）は、ＬＡＮ（１１０）上に接続されたＰＣ（１０９）によりプリントのジョブの実行を指示したユーザー（２０１）が持つインターフェース装置（２０２）と数メートル程度範囲の近距離無線通信を行う。
【００１６】
ユーザー登録コード記憶部（１９０）は、ＰＣ（１０９）を使って、画像入出力システム（１００）にプリントのジョブを実行することが可能なユーザーの情報を事前に登録し、ユーザーの情報を記憶する。
【００１７】
ＰＣ（１０９）を使ってセキュアプリントのジョブの実行を指示したユーザー（２０１）が、ユーザー登録コード記憶部（１９０）によって登録されているか否かを、画像入出力システム（１００）が判断する。登録されている場合には、セキュアプリントのジョブの実行を許可し且つ近距離無線通信インターフェース（１８０）によって、前記セキュアプリントのジョブの実行を指示したユーザー（２０１）が画像入出力システム（１００）の近距離の範囲にいる場合は、前記セキュアプリントのジョブの実行を直ちに行い、プリントアウトする。前記セキュアプリントのジョブの実行を指示したユーザーが、ユーザー登録コード記憶部（１９０）に登録されていない場合には、前記セキュアプリントのジョブはユーザー登録のエラーとして処理される。
【００１８】
リーダー部（２００）は、原稿画像を光学的に読み取り、画像データに変換する。リーダー部（２００）は、原稿を読取るための機能を持つスキャナユニット（２１０）と、原稿用紙を搬送するための機能を持つ原稿給紙ユニット（２５０）とで構成される。
【００１９】
プリンタ部（３００）は、記録紙を搬送し、その上に画像データを可視画像として印字して装置外に排紙する。プリンタ部（３００）は、複数種類の記録紙カセットを持つ給紙ユニット（３６０）と、画像データを記録紙に転写、定着させる機能を持つマーキングユニット（３１０）と、印字された記録紙をソート、ステイプルして機外へ出力する機能を持つ排紙ユニット（３７０）とで構成される。
【００２０】
近距離無線通信のインターフェース（１８０）は、近距離での無線を使った通信を行うことが出来るためのインターフェースを持ち、ユーザー（２０１）の携帯するインターフェース装置（２０２）との通信を取ることで、ユーザー（２０１）と画像入出力システム（１００）との位置関係を把握する。数メートル程度の近距離での無線通信を行うことができる構成を取る。
【００２１】
コントローラユニット（１５０）は、リーダー部（２００）、プリンタ部（３００）、近距離無線通信のインターフェース（１８０）と電気的に接続され、さらにＬＡＮ（１１０）、ＰＳＴＮまたはＩＳＤＮ（１３０）、インターネット／イントラネット（１１２）等のネットワーク（４００）と接続されている。コントローラユニット（１５０）は、リーダー部（２００）を制御して、原稿の画像データを読込み、プリンタ部（３００）を制御してプリントデータ及び画像データを記録用紙に出力してコピー機能、ＬＡＮ（１１０）からのプリントのジョブの実行を近距離無線通信のインターフェース（１８０）からの制御信号を受けてプリンタ部（３００）を制御してプリントデータ及び画像データを記録用紙に出力してプリンタ機能、ネットワーク（４００）を介して受信したコードデータを画像データに変換し、プリンタ部（３００）に出力するプリンタ機能を提供する。
【００２２】
また、リーダー部（２００）から読取った画像データを、コードデータに変換し、ＬＡＮ（１１０）を介してＰＣ（１０９）へ送信するスキャナ機能を提供する。
【００２３】
操作部（１６０）は、コントローラユニット（１５０）に電気的に接続され、液晶タッチパネルで構成され、画像入出力システムを操作するためのユーザインターフェースを提供する。
【００２４】
操作部（１６０）は、ユーザー登録コード記憶部（１９０）と電気的に接続されており、操作部（１６０）を介して入力されたユーザーに関するユーザー名やユーザーのパスワード等の情報は、ユーザー登録コード記憶部（１９０）に送られ記憶される。
【００２５】
ユーザー登録コード記憶部（１９０）は、コントローラユニット（１５０）にも電気的に接続されており、ＬＡＮ（１１０）からのプリントのジョブのうち、セキュアプリントのジョブの実行を許可するか否かをコントローラユニットで判断する際に、ＬＡＮ（１１０）からのセキュアプリントのジョブの実行を指示したユーザー（２０１）が、画像入出力システム（１００）上に登録されているか否かを判断する。
【００２６】
図３はリーダー部（２００）及びプリンタ部（３００）の概観図である。
【００２７】
リーダー部の原稿給送ユニット（２５０）は原稿を先頭順に１枚ずつプラテンガラス（２１１）上へ給送し、原稿の読み取り動作終了後、プラテンガラス（２１１）上の原稿を排出するものである。原稿がプラテンガラス（２１１）上に搬送されると、ランプ（２１２）を点灯し、そして光学ユニット（２１３）の移動を開始させて、原稿を露光走査する。この時の原稿からの反射光は、ミラー（２１４）、（２１５）、（２１６）及びレンズ（２１７）によってＣＣＤイメージセンサ（以下ＣＣＤという）（２１８）へ導かれる。このように、走査された原稿の画像はＣＣＤ（２１８）によって読み取られる。
【００２８】
リーダー画像前処理部（２２２）は、ＣＣＤ（２１８）から出力される画像データに所定の処理を施して、コントローラユニット（１５０）へと出力するところである。
【００２９】
プリンタ画像処理部（３５２）は、コントローラユニット（１５０）から送られる画像信号をレーザードライバ（３１７）へと出力するところである。
【００３０】
プリンタ部（３００）のレーザドライバ（３１７）は、レーザ発光部（３１３）、（３１４）、（３１５）、（３１６）を駆動するものであり、プリンタ画像処理部（３５２）から出力された画像データに応じたレーザ光をレーザ発光部（３１３）、（３１４）、（３１５）、（３１６）を発光させる。このレーザ光はミラー（３４０）、（３４１）、（３４２）、（３４３）、（３４４）、（３４５）、（３４６）、（３４７）、（３４８）、（３４９）、（３５０）、（３５１）によって感光ドラム（３２５）、（３２６）、（３２７）、（３２８）に照射され、感光ドラム（３２５）、（３２６）、（３２７）、（３２８）にはレーザ光に応じた潜像が形成される。３２１、３２２、３２３、３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００３１】
用紙カセット（３６０）、（３６１）及び手差しトレイ（３６２）のいずれかより、レーザ光の照射開始と同期したタイミングで給紙された用紙は、レジストローラ（３３３）を経て、転写ベルト（３３４）上に吸着され、搬送される。そして、感光ドラム（３２５）、（３２６）、（３２７）、（３２８）に付着された現像剤を記録紙に転写する。現像剤の乗った記録紙は定着部（３３５）に搬送され、定着部（３３５）の熱と圧力により現像剤は記像紙に定着される。定着部（３３５）を通過した記録紙は排出ローラ（３３６）によって排出され、排紙ユニット（３７０）は排出された記録紙を束ねて記録紙の仕分けをしたり、仕分けされた記録紙のステイプルを行う。
【００３２】
また、両面記録が設定されている場合は、排出ローラ（３３６）のところまで記録紙を搬送した後、排出ローラ（３３６）の回転方向を逆転させ、フラッパ（３３７）によって再給紙搬送路（３３８）へ導く。再給紙搬送路（３３８）へ導かれた記録紙は上述したタイミングで転写ベルト（３３４）へ給紙される。
【００３３】
＜リーダー画像前処理部の説明＞
図４は、リーダー画像前処理部（２２２）の詳細な構成を示すブロック図である。
【００３４】
リーダー画像前処理部（２２２）では、プラテンガラス（２１１）上の原稿はＣＣＤ（２１８）に読み取られて電気信号に変換される（ＣＣＤ（２１８）はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない）。そして、その電気信号（アナログ画像信号）はリーダー画像前処理部（２２２）に入力され、クランプ＆Ａｍｐ．＆Ｓ／Ｈ＆Ａ／Ｄ部（４０１）でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのディジタル信号に変換される。そして、ＲＧＢ信号はシェーディング部（４０２）で、シェーディング補正及び黒補正が施された後、コントローラユニット（１５０）へと出力される。
【００３５】
＜コントローラユニットの説明＞
コントローラユニット（１５０）の機能を、図５、図６に示す。図５は、コントローラユニット（１５０）内部の構成と、プリンタ部（３００）及びリーダー部（２００）、プリンタ画像処理部（３５２）、リーダー画像処理部（３５４）、画像処理部（３５３）との構成を表した図である。図６は、システム制御部（２１５０）内の構成を表した図である。
【００３６】
システム制御部（２１５０）は、コントローラユニット（１５０）の全体の制御部である。プリンタ画像処理部（３５２）、画像処理部（３５３）、リーダー画像処理部（３５４）は、システム制御部（２１５０）と接続されており、画像データ及び制御信号を送受信してデータの処理を行う。
【００３７】
メモリ（３５６）、（３５７）、（３５８）、（３５９）はプリンタ部（３００）におけるプリンタ用のドラムにおける画像データの遅延量を制御するためのメモリで、各色成分（ＹＭＣＫ）ごとにメモリを持ち、各色成分ごとの画像データを数ページ分保持することができる。ここでは、ＳＤＲＡＭを使用する。
【００３８】
画像処理部（３５３）は、プリンタ及びリーダー用の画像処理を行う画像処理ブロックである。
【００３９】
コントローラユニット（１５０）は画像入力装置であるリーダー部（２００）、リーダー画像前処理部（２２２）や画像出力デバイスであるプリンタ部（３００）と接続し、一方ではＬＡＮ（２０１１）や公衆回線（ＷＡＮ）（２０５１）等のネットワーク（４００）に接続することで、画像情報やデバイス情報の入出力、ＰＤＬデータのイメージ展開を行う為のコントローラである。
【００４０】
ＣＰＵ（２００１）はシステム全体を制御するプロセッサである。ＣＰＵ（２００１）は、ＣＰＵバス（２１２６）に接続され、さらに、システムバスブリッジ（２００７）に接続される。
【００４１】
操作部インターフェース（２００６）は操作部（１６０）とのインターフェース部で、操作部（１６０）に表示する画像データを操作部（１６０）に対して出力する。また、操作部（１６０）から本システム使用者が入力した情報を、ＣＰＵ（２００１）に伝える役割をする。
【００４２】
ユーザー登録コードインターフェース（２００９）は、ユーザー登録コード記憶部（１９０）とのインターフェース部で、ユーザー登録コード記憶部（１９０）へセキュアプリントのジョブの実行要求がコントローラユニット（１５０）に来たときに、セキュアプリントのジョブのデータから実行を指示したユーザーのユーザー名とパスワードを送り、ユーザー登録コード記憶部（１９０）からのセキュアプリントのジョブの実行許可の信号を受ける役割をする。
【００４３】
無線通信インターフェース（２００８）は、近距離無線通信のインターフェース（１８０）とのインターフェース部で、近距離無線通信のインターフェース（１８０）により判定されたセキュアプリントのジョブの実行の信号を受け取る。このセキュアプリントのジョブの実行がアクテイブの場合は、セキュアプリントのジョブを直ちに実行すると判断し、ＣＰＵ（２００１）にセキュアプリントのジョブの実行要求を出力する。
【００４４】
ＣＰＵが処理データを格納するためのメモリは、ＲＡＭ（２００２）、ＲＯＭ（２００３）が用意されており、それぞれＲＡＭコントローラ（２１２４）、ＲＯＭコントローラ（２１２５）によってアクセス制御されている。
【００４５】
ＨＤＤ（２００４）は外部記憶装置としてのハードディスクドライブで、システムソフトウェア、プリントのジョブの情報、画像データを格納する。
【００４６】
ＨＤＤ（２００４）へのアクセスは、汎用バスインターフェース（２１４２）を介して、ＰＣＩバス（２１４３）を用いてディスクコントローラ（２１４４）により行う。
【００４７】
ＬＡＮコントローラ（２０１０）は、ＭＡＣ回路（２１４５）、ＰＨＹ／ＰＭＤ回路（２１４６）を介しＬＡＮ（１１０）に接続し、情報の入出力を行う。
【００４８】
＜近距離無線通信のインターフェースの説明＞
近距離無線通信のインターフェース（１８０）は、特定の機器と数メートル範囲内で無線通信を行う。近距離無線通信のインターフェース（１８０）が扱う無線通信の機器は、ユーザー（２０１）の携帯するインターフェース装置（２０２）のみであり、数メートル範囲内での通信を行う。
【００４９】
近距離無線通信のインターフェース（１８０）は、特定波長の無線信号を使って、ユーザー（２０１）の携帯するインターフェース装置（２０２）とユーザー（２０１）に関する情報の送受信を行い、画像入出力システム（１００）に対してセキュアプリントのジョブを実行したユーザーが、画像入出力システム（１００）の位置に対して数メートルの位置にあるか否かを無線信号を使って判断する。
【００５０】
近距離無線通信のインターフェース（１８０）は、ユーザー（２０１）の携帯するインターフェース装置（２０２）が受信可能な特定波長の無線信号を画像入出力システム（１００）の数メートル範囲内で発信し、ユーザー（２０１）の携帯するインターフェース装置（２０２）からの特定波長の無線信号のみを受信する。
【００５１】
ユーザー（２０１）の携帯するインターフェース装置（２０２）からの特定波長の無線信号の受信が無い場合には、近距離無線通信のインターフェース（１８０）は、ユーザー（２０１）が画像入出力システム（１００）の数メートル範囲内に存在しないと判断しコントローラユニット（１５０）に対し、セキュアプリントのジョブの実行を非アクティブにする。
【００５２】
ユーザー（２０１）の携帯するインターフェース装置（２０２）からの特定波長の無線信号の受信があった場合には、近距離無線通信のインターフェース（１８０）は、ユーザー（２０１）が画像入出力システム（１００）の数メートル範囲内に存在すると判断しコントローラユニット（１５０）に対し、セキュアプリントのジョブの実行をアクティブにする。
【００５３】
＜インターフェース装置の説明＞
画像入出力システム（１００）のユーザーが携帯するインターフェース装置（２０２）は、特定の機器と数メートル範囲内で無線通信を行う。インターフェース装置（２０２）が扱う無線通信の機器は、画像入出力システム（１００）の近距離無線通信のインターフェース（１８０）のみであり、数メートル範囲内での通信を行う。
【００５４】
インターフェース装置（２０２）は、特定波長の無線信号を使って、近距離無線通信のインターフェース（１８０）とユーザー（２０１）に関する情報の送受信を行い、画像入出力システム（１００）に対してセキュアプリントのジョブを実行したユーザーが、画像入出力システム（１００）の位置に対して数メートルの位置にあることを通知する機能を持つ。
【００５５】
インターフェース装置（２０２）は、近距離無線通信のインターフェース（１８０）からの無線信号を受信した場合は、ユーザー（２０１）に対してを画像入出力システム（１００）の位置が数メートル範囲内であると判断し、近距離無線通信のインターフェース（１８０）に特定波長の無線信号を発信する。
【００５６】
この時にインターフェース装置（２０２）から発信する無線信号には、各ユーザー固有のユニークなユーザーコードの情報を含み、このコード情報により各ユーザーの識別を行い、且つ、このコードの情報は、ユーザー登録コード記憶部（１９０）に記録されているユーザーのユーザー名とパスワードの情報と一対一で対応した情報である。
【００５７】
このユーザーコードの情報は、インターフェース装置（２０２）内に保持され画像入出力システム（１００）内のユーザー登録コード記憶部（１９０）の登録情報を変更しないかぎりは、このユーザーコードの情報を用いる。
【００５８】
インターフェース装置（２０２）が近距離無線通信のインターフェース（１８０）からの無線信号を受信していない場合には、ユーザー（２０１）に対してを画像入出力システム（１００）の位置が数メートル範囲外であると判断し、ウエイト状態を保ち無線信号を発信は行わない。
【００５９】
＜無線通信を用いたセキュアプリントの制御フローの説明＞
画像入出力システム（１００）でのセキュアプリントの処理制御のフローを、図７に示すフロー図をもとに説明する。
【００６０】
まず、あらかじめ画像入出力システム（１００）の操作部（１６０）を介してユーザー登録コード記憶部（１９０）に、画像入出力システム（１００）を使用するユーザーのユーザー名とパスワードの入力を行い、記憶させる（３００１）。
【００６１】
ユーザー（２０１）は常に、ユーザー登録コード記憶部（１９０）に登録した画像入出力システム（１００）を使用するユーザーのユーザー名とパスワードと一対一の関係をもつユーザーコードを保持したインターフェース装置（２０２）を携帯しておく。
【００６２】
次に、ＬＡＮ（１１０）に接続されたＰＣにより画像入出力システム（１００）対してセキュアプリントのジョブの実行を指示する（３００２）。この時、セキュアプリントのジョブの実行を指示したユーザーのユーザー名及びパスワード等の情報も、セキュアプリントのジョブの中に含んでいる。
【００６３】
次に、画像入出力システム（１００）は、セキュアプリントのジョブをＬＡＮ（１１０）を介して受信し、いったんプリントのジョブの情報をＨＤＤ（２００４）に保持する（３００３）。
【００６４】
次に、画像入出力システム（１００）は、このセキュアプリントのジョブが、ユーザー登録コード記憶部（１９０）に記憶されているユーザーか否かを判断する（３００４）。ユーザー登録コード記憶部（１９０）に記憶されていない場合は、プリントのキューに従ってプリントアウトを行い、又は、エラーコードとしてエラー処理を行う（３００５）。エラー処理は、未登録のユーザーがプリントのジョブの実行を指示しているという情報の表示をＬＡＮ（１１０）を介してＰＣに表示するか、画像入出力システム（１００）内の操作部（１６０）に表示させるなどのエラー表示を行う。又は、プリントのジョブの実行を禁止し、そのプリントのジョブは削除するなどの処理を行う。
【００６５】
次に、画像入出力システム（１００）は、セキュアプリントのジョブの実行を指示したユーザー（２０１）が印刷物を取りに画像入出力システム（１００）に数メートルと近づいてきた時点で、インターフェース装置（２０２）と無線通信を行う近距離無線通信のインターフェース（１８０）によって、セキュアプリントのジョブの実行がアクティブになる。この場合には、直ちにプリントのジョブを実行し、印刷出力を行う（３００６）。
【００６６】
セキュアプリントのジョブの実行が非アクティブの場合には、要求されているセキュアプリントのジョブの実行は行わずアクティブ状態になるまでセキュアプリントのジョブの実行をウエイト状態にして待つ（３００７）。
【００６７】
最後に、画像入出力システム（１００）にセキュアプリントのジョブの実行を指示したユーザー（２０１）が印刷物を取りに画像入出力システム（１００）に近づいた時に、画像入出力システム（１００）からプリントのジョブの実行が行われ印刷出力され、ユーザー（２０１）は印刷物を受け取ることができる（３００８）。
【００６８】
＜画像データ出力制御手段＞
本件実施例の特徴である、近距離無線通信手段による画像蓄積手段内に蓄積された画像データの出力制御について図８のフローチャートを用いて説明する。
【００６９】
まず、ネットワークを介して画像データを画像データ蓄積手段内に蓄積する（Ｓ８０１）。次にＳ８０２において、Ｓ８０１において画像データを画像データ蓄積手段内に送信した人物１が本件実施例で説明するマルチファンクションシステムの近傍に存在するか否かを判断する。判断に際しては、既述のように近距離無線通信手段を用いる。近傍に存在しないと判断された場合には、Ｓ８０１にて蓄積された画像データは出力できないため、再びＳ８０２にて近傍にいるか否かを判断する。画像データ蓄積手段内に送信した人物１が近傍に存在すると判断された場合、Ｓ８０３において現在別のＪｏｂが印刷中であるか否かを判断する。印刷中で無いと判断された場合には、Ｓ８０７にフローチャートは遷移し、画像データ蓄積手段内に蓄積された画像データを直ちに印刷する。Ｓ８０３において現在別のＪｏｂが印刷中であると判断された場合には、Ｓ８０４にてその別のＪｏｂが画像読み取り装置にて読み取られた画像データを出力する、いわゆるコピー動作であるか否かを判断する。コピー動作であると判断された場合には、現在動作中のＪｏｂに割り込んでＳ８０１にて蓄積された画像データを出力することは許されないため、Ｓ８０６にフローチャートが遷移し、現在印刷中のＪｏｂが完了するまで待つ。動作が完了したのを待ってＳ８０７にて、画像データ蓄積手段内に蓄積されている画像データの印刷を開始する。
【００７０】
Ｓ８０４にて現在動作中の別のＪｏｂがコピー動作でないと判断された場合、さらにＳ８０５にて現在動作中の別のＪｏｂがセキュアプリントであるか否かを判断する。セキュアプリントでないと判断された場合には同様にＳ８０６にて、現在動作中のＪｏｂが印刷完了するまで待って、Ｓ８０７にて画像データを印刷する。
【００７１】
また、Ｓ８０５にて現在動作中のＪｏｂがセキュアプリントであると判断された場合、さらにＳ８０８にて現在印刷されているＪｏｂを指示した人物２が本件実施例で説明するマルチファンクションシステムの近傍に存在するか否かを上記近距離無線通信手段によって判断する。上記の人物２が近傍に存在すると判断された場合には同様にＳ８０６及びＳ８０７を経由して、現在のＪｏｂが完了するのを待ってから、人物１によって画像データ蓄積手段内に蓄積された画像データを印刷する。
【００７２】
また、Ｓ８０８にて人物２が近傍に存在しないと判断された場合（この場合、人物２は印刷Ｊｏｂが開始された後に上記マルチファンクションシステムから離れたということになる）は、Ｓ８０９にて現在印刷中のＪｏｂを停止し、Ｓ８１０にて人物１よって画像データ蓄積手段内に蓄積された画像データの印刷を行う。そして印刷が終了した後に、Ｓ８１１にて停止中の印刷Ｊｏｂを再開する。
【００７３】
上記実施例のＳ８０５にて現在印刷中のＪｏｂがコピー動作でもセキュアプリントでもないと判断された場合、フローチャートはＳ８０６に遷移して、現在印刷中のＪｏｂが終了するまで待つと説明したが、この場合現在印刷中のＪｏｂ（コピーでもセキュアプリントでも無いＪｏｂ）を停止して人物１によって画像データ蓄積手段内に蓄積された画像データを先に出力しても良い。現在印刷中のＪｏｂがコピーでもセキュアプリントでもない場合、このＪｏｂを先に行うか、後に行うかは本件特許に影響を及ぼさないためである。
【図面の簡単な説明】
【図１】本発明における本システムの実使用環境を表す図。
【図２】本システムの画像入出力システムの全体構成を表す図。
【図３】リーダー部及びプリンタ部の概観を表す図。
【図４】リーダー画像前処理部の構成を表す図。
【図５】コントローラユニット内部の概略構成を表す図。
【図６】コントローラユニットの内部の全体構成を表す図。
【図７】本発明における本システムの概略動作フローを表したフローチャート図。
【図８】本件実施例で説明する動作切り替えを説明するフローチャート図。
【図１】
2004181763.tif 000003
【図２】
2004181763.tif 000004
【図３】
2004181763.tif 000005
【図４】
2004181763.tif 000006
【図５】
2004181763.tif 000007
【図６】
2004181763.tif 000008
【図７】
2004181763.tif 000009
【図８】
2004181763.tif 000010